(57)【特許請求の範囲】
【請求項１】
第１の記録媒体に記録された音データを第２の記録媒体にコピーする記録手段を備えるオーディオ装置において、
前記記録手段により、第１の記録媒体に記録された音データを第２の記録媒体に高速録音する場合に、前記音データの再度の高速録音を禁止する所定時間を計時する計時手段と、
前記音データの高速録音が行われる場合に、該音データの一部を記憶する記憶手段と、
前記計時手段による高速録音禁止時間の計時が終了した際に、前記音データが高速録音可能状態に移行したことを、前記記憶手段に記憶された音データに基づいて通知する通知手段と、
を備えることを特徴とするオーディオ装置。
【請求項２】
前記通知手段は、前記音楽データが高速録音可能状態に移行したことを、前記記憶手段に記憶された音データを再生することにより通知することを特徴とする請求項１記載のオーディオ装置。
【発明の詳細な説明】
【０００１】
【発明の属する技術分野】
本発明は、オーディオ装置に関する。
【０００２】
【従来の技術】
近時、音楽データを音楽用ＣＤ（Compact Disc）等の記録媒体から記録用ＭＤ（Mini Disc）にコピー可能なオーディオ機器が普及している。このようなオーディオ機器において、ＣＤに記録されている音楽データを記録用ＭＤへ、一度、高速（倍速以上）の録音を行った場合、著作権保護のために、録音開始から一定の時間（７４分間）は、その同一音楽データを再度、別のＭＤへ倍速録音することはできない。従来のオーディオ機器においては、倍速録音禁止時間内に、再び倍速録音操作が行われると、ディスプレイには、録音指定された曲が倍速録音可能になるまでの時間を表示することで、現在、倍速録音不可である旨をユーザに通知している。この場合、ユーザは、表示された時間だけ待つか、通常速に切り替えることによって再録音することができる。
【０００３】
【発明が解決しようとする課題】
しかしながら、従来のオーディオ機器においては、上記の著作権保護等の制約に該当した場合、所望の音楽データがいつ倍速録音可能になるかは、倍速録音操作を行わない限りディスプレイに表示されず、確認することができなかった。同様に、どの音楽データが倍速録音可能であるかについても、各々の音楽データの倍速録音操作を行わない限りわからず、使い勝手が良くないという問題があった。
【０００４】
本発明の課題は、倍速録音不可状態であった音楽データが倍速録音可能状態に移行した旨を瞬時に通知することで、快適な倍速録音が可能なオーディオ装置を提供することである。
【０００５】
【課題を解決するための手段】
本発明は、
第１の記録媒体に記録された音データを第２の記録媒体にコピーする記録手段を備えるオーディオ装置において、
前記記録手段により、第１の記録媒体に記録された音データを第２の記録媒体に高速録音する場合に、前記音データの再度の高速録音を禁止する所定時間を計時する計時手段と、
前記音データの高速録音が行われる場合に、該音データの一部を記憶する記憶手段と、
前記計時手段による高速録音禁止時間の計時が終了した際に、前記音データが高速録音可能状態に移行したことを、前記記憶手段に記憶された音データに基づいて通知する通知手段と、
を備えることを特徴としている。
【０００６】
【発明の実施の形態】
以下、図を参照して本発明の実施の形態を詳細に説明する。
まず、構成を説明する。
【０００７】
図１は、本発明を適用したオーディオシステム１００内部の機能構成を示すブロック図である。図１に示すように、オーディオシステム１００は、ＣＤ部１、ＣＤ用ＤＳＰ・ＬＳＩ２、マイコン部３、ＭＤ用ＡＴＲＡＣ・ＤＳＰ・ＬＳＩ５、ＭＤ部６、ディスプレイ部７、キー部８、Ａ／Ｄ変換器９、Ｄ／Ａ変換器１０、１１、出力切り替えＳＷ１２により構成される。
【０００８】
ＣＤ部１は、ＣＤロードメカ、ピックアップメカニズム、ＲＦアンプ等を備えて構成される。
【０００９】
ＣＤロードメカは、ＣＤを装填部（図示せず）に装填したり、解放したりするための機構を有する。
【００１０】
ピックアップメカニズムは、上記装填部に装填されたディスクの再生時に、マイコン部３からの制御信号に応じて、光ピックアップをスレッド（図示せず）によりディスクの半径方向に移動させ、当該ディスクにレーザ光を照射することで、その反射光から、当該ディスクに記録されているデータを抽出する機構を備える。
【００１１】
ＲＦアンプは、ＣＤ再生の際に読み取られた音声データからＲＦ信号等を抽出し、その抽出したデータをＣＤ用ＤＳＰ・ＬＳＩ２に出力する。
【００１２】
ＣＤの内周には、トラック名（曲名）や、各トラックの録音日時、スタートアドレス、エンドアドレス等の情報がＴＯＣ（Table Of Contents）情報として記録されている。また、ＣＤのサブコードには、オーディオ・レコーディング及びオーディオビジュアル・レコーディングを、デジタル方式により国際的に共通した手段で識別するためのＩＳＲＣ（International Standard Recording Code）と呼ばれる認識コードが、楽曲毎に記録されている。
【００１３】
ＣＤ用ＤＳＰ・ＬＳＩ（Digital Signal Processor Large Scale Integrated circuit）２は、ＣＤ再生の際、ＣＤ部１から入力される通常速又は倍速デジタル音声信号に対し、ＥＦＭ（Eight to Fourteen Modulation）デコード処理等のＣＤの再生処理に係るデジタル処理を高速で行う。
【００１４】
マイコン部３は、その内部に、ＣＰＵ（Central Processing Unit）、ＲＯＭ（Read Only Memory）（何れも図示せず）、タイマー３１を有するマイクロコンピュータであり、キー部８のキー操作等により、ＣＰＵが、ＲＯＭに格納されている各種動作プログラムを読み出して、各種制御処理を実行する。
【００１５】
具体的には、マイコン部３は、キー部８のキー操作により、ＣＤからＭＤへの倍速録音指示があると、倍速録音すべき音声データの一部をメモリ４に保存させる録音処理（図２参照）を実行する。この録音処理において、倍速録音開始とともに、タイマー３１が起動し、倍速録音禁止時間（７４分間）に対応するカウントダウンを開始する。このタイマー３１は、倍速録音禁止時間を計時する計時手段としての機能を有する。
【００１６】
また、マイコン部３は、タイマー３１による倍速録音禁止時間の計時が終了した時点で、倍速録音が禁止されていた音声データが倍速録音可能状態に移行した旨を、メモリ４に保存させた音声データを再生させることで通知する通知手段としての機能を有する（図３の倍速録音可能通知処理参照）。
【００１７】
メモリ４は、ＣＤからＭＤへの倍速録音の際、録音すべき音声データの一部（数十秒程度）を保存し、記憶手段としての機能を有する。
【００１８】
ＭＤ用ＡＴＲＡＣ・ＤＳＰ・ＬＳＩ（Adaptive TRansform Acoustic Coding Digital Signal Processor Large Scale Integrated circuit）５は、デジタル録音（又は、アナログ録音）の際、ＣＤ用ＤＳＰ・ＬＳＩ２（又はＡ／Ｄ変換器９）から入力される各種デジタル音楽データに対して、ＡＴＲＡＣエンコード処理、及び音楽データの一時記録等、ＭＤの記録処理に係る各種デジタル信号処理を高速で行う。また、ＭＤ用ＡＴＲＡＣ・ＤＳＰ・ＬＳＩ５は、ＭＤ再生の際、ＭＤ部６から入力されるデジタル音声信号に対し、ＡＴＲＡＣデコード処理等のＭＤの再生処理に係る各種デジタル処理を高速で行う。
【００１９】
ＭＤ部６は、ＭＤスロットインメカ、ピックアップメカニズム、ＲＦアンプ等を備えて構成される。
【００２０】
ＭＤスロットインメカは、ＭＤを装填部（図示せず）に装填したり、解放したりするための機構を有する。
【００２１】
ピックアップメカニズムは、上記装填部に装填されたディスクの再生時に、マイコン部３からの制御信号に応じて、光ピックアップをスレッドによりディスクの半径方向に移動させ、当該ディスクにレーザ光を照射することで、その反射光から、当該ディスクに記録されているデータを抽出する機構を備える。
【００２２】
また、ピックアップメカニズムは、上記装填部に装填されたディスクの録音時に、マイコン部３からの制御信号に応じて、ディスクを挟んで配置された磁気ヘッドと光学ヘッドとを、同時にスレッドによりディスクの半径方向に移動させて、ＭＤ用ＡＴＲＡＣ・ＤＳＰ・ＬＳＩ５においてエンコード処理された音声信号に対応する磁界を、当該ディスクに印加させる動作機構を備える。
【００２３】
ＲＦアンプは、ＭＤ再生の際に読み取られた音声データからＲＦ信号等を抽出し、その抽出したデータをＭＤ用ＡＴＲＡＣ・ＤＳＰ・ＬＳＩ５に出力する。
【００２４】
ディスプレイ部７は、ＬＣＤ（Liquid Crystal Display）等により構成され、マイコン部３の制御に基づいて、所要の表示を行う。
【００２５】
キー部８は、再生キー、停止キー、ダビングキー、表示キー等の各種操作キーを有し、キー操作による操作信号をマイコン部３に出力する。
【００２６】
Ａ／Ｄ変換器９は、ＭＤ部６でのアナログ録音の際に、ＣＤ用ＤＳＰ・ＬＳＩ２から入力されるアナログ信号をデジタル信号に変換し、ＭＤ用ＡＴＲＡＣ・ＤＳＰ・ＬＳＩ５に出力する。
【００２７】
Ｄ／Ａ変換器１０は、ＣＤ部１でのＣＤ再生時に、ＣＤ用ＤＳＰ・ＬＳＩ２で処理されたデジタル信号をアナログ信号に変換する。
Ｄ／Ａ変換器１１は、ＭＤ部６でのＭＤ再生時に、ＭＤ用ＡＴＲＡＣ・ＤＳＰ・ＬＳＩ５で処理されたデジタル信号をアナログ信号に変換する。
【００２８】
出力切り替えＳＷ（Switch）１２は、マイコン部３から入力される制御信号に基づいて、ＣＤ再生の際は、Ｄ／Ａ変換器１０側の端子にスイッチを切り替え、ＭＤ再生の際は、Ｄ／Ａ変換器１１側の端子にスイッチを切り替えて、再生音声としてのアナログ音声を、図示しない増幅回路を介して外部に出力させる。
【００２９】
次に、本実施の形態の動作を説明する。
まず、ＣＤに記録された音楽データをＭＤに録音（コピー）する録音処理について、図２のフローチャートに基づいて説明する。
【００３０】
キー部８のキー操作により、ＣＤ部１に装填されているＣＤから、ＭＤ部６に装填されているＭＤへの録音指示があると、マイコン部３は、その録音指示が倍速録音であるか否かを判断し（ステップＳ１）、通常速の録音指示であれば（ステップＳ１；ＮＯ）、直ちに録音を開始する（ステップＳ２）。
【００３１】
上記録音指示が倍速録音であれば（ステップＳ１；ＹＥＳ）、マイコン部３は、コピー元であるＣＤ部１に装填されているＣＤのディスク情報や、該ＣＤのサブコードに記録されているＩＳＲＣから、録音指示があった音楽データの録音履歴を取得し（ステップＳ３）、倍速録音を開始するとともに、該音楽データの一部をメモリ４に記録する（ステップＳ４）。ここで、メモリ４に記録する音楽データは、曲の始めからでも途中からでもよく、メモリ４の容量にもよるが、曲のイメージが理解できる数十秒程度がよい。
【００３２】
ステップＳ４の倍速録音開始と同時に、倍速録音禁止の記録制限タイマー３１が起動し、７４分間に対応するタイマーのカウントダウンを開始する。指定された音楽データの録音が終了すると（ステップＳ５）、マイコン部３は、本録音処理を終了する。
【００３３】
次に、マイコン部３によって実行される倍速録音可能通知処理について、図３のフローチャートに基づいて説明する。
【００３４】
図２のステップＳ４で開始したタイマー３１による計時中は、マイコン部３は、倍速録音禁止時間（７４分間）が終了したか否かを常時確認しており（ステップＳ１１）、未だに倍速録音禁止時間内であれば（ステップＳ１１；ＮＯ）、タイマー３１によるカウントダウンを継続する（ステップＳ１２）。
【００３５】
倍速録音開始から７４分間経過し、倍速録音禁止時間が終了したと判断すると（ステップＳ１１；ＹＥＳ）、マイコン部３は直ちに、ディスク情報やＩＳＲＣとともに、図２のステップＳ４でメモリ４に記録した音声データを再生させる（ステップＳ１３）。また、このとき、マイコン部３は、ディスプレイ部７に「倍速録音許可」と表示させ、倍速録音が禁止されていた音楽データが、再度倍速録音可能になったことを通知する。
【００３６】
以上のように、本実施の形態のオーディオシステム１００によれば、従来のように、わざわざ倍速録音操作をしなくても、倍速録音禁止時間が終了した時点で、メモリ４に記憶された倍速録音が禁止されていた音声データを数十秒ほど再生することで、オーディオ機器から少し離れたところにいるユーザにも、当該音声データが倍速録音可能状態に移行したことを瞬時に通知することができる。また、倍速録音が禁止されていた音声データを再生することで、ユーザは、どの曲が倍速録音可能になったかを把握できる。
【００３７】
【発明の効果】
本発明によれば、計時手段による高速録音禁止時間の計時が終了した時点で、高速録音が禁止されていた音データが高速録音可能状態に移行したことを通知手段により通知することで、ユーザは、当該音データが高速録音可能になったことを瞬時に確認できる。
【図面の簡単な説明】
【図１】本発明を適用したオーディオシステム１００内部の機能構成を示すブロック図。
【図２】本実施の形態における録音処理を示すフローチャート。
【図３】本実施の形態における倍速録音可能通知処理を示すフローチャート。
【符号の説明】
１    ＣＤ部
２    ＣＤ用ＤＳＰ・ＬＳＩ
３    マイコン部
３１  タイマー
４    メモリ
５    ＭＤ用ＡＴＲＡＣ・ＤＳＰ・ＬＳＩ
６    ＭＤ部
７    ディスプレイ部
８    キー部
９    Ａ／Ｄ変換器
１０、１１  Ｄ／Ａ変換器
１２    出力切り替えＳＷ（スイッチ）
１００  オーディオシステム
【図１】
0003907426.tif 000002
【図２】
0003907426.tif 000003
【図３】
0003907426.tif 000004